(57)【要約】      （修正有）【課題】レバー操作によりロッドが上下移動してロッド先端部に取り付けた伸縮するアームに自重で閉じるグローブを設けたことで、試掘穴の排土をグローブでつかみ搬出することを可能とするグローブのホールド装置を提供する。【解決手段】パイプ２の上端に設けた取っ手４の回動部８に回動自在なレバー３を取り付けて、前記レバーに設けた回動部９にロッド５の上端部を回動自在に設けて一方の下端部１０を、パイプ２の下端部に設けた取り付け板１３に回動自在に取り付けたアーム軸１１中心に取り付け、前記伸縮アーム６に取り付けた前記グローブ７は自重でグローブ７が閉じて排土をつかみ搬出することを可能にする排土の搬出装置において、前記ロッドの先端部をアーム軸中心に取り付けて伸縮アーム６に取り付けたグローブ７の自重でグローブ７を閉じて排土を保持し搬出する。【選択図】図１
0003155967.tif 000002
【実用新案登録請求の範囲】
【請求項１】
パイプの上端部に取っ手を設け取っ手には回動自在なレバーを取り付けて、レバーには回動自在にロッドを取り付けて前記パイプの中にロッドを通し、パイプの下端部にアーム取り付け板を設けて、前記ロッドの先端部にアーム軸中心を設けてロッドの上下移動によって伸縮する一対のアームを前記アーム取り付け板とアーム軸に取り付け、前記一対のアームにグローブを取り付けて、前記レバー操作によりロッドの上下移動に伴ってアーム軸が上下移動してグローブを開閉するように構成し、該パイプの上部取っ手に取り付けられた回動するレバー操作により、ロッドの下端部に取り付けて上下移動するアーム軸と、該アーム軸により伸縮するアームに取り付けたグローブを開閉して、前記グローブで排土をつかみ自重でグローブを閉じて搬出することを特徴とするグローブのホールド装置。
【考案の詳細な説明】
【技術分野】
【０００１】
本考案は、電柱設置工事場所に地中埋設物を探査掘削された試掘穴の中にグローブを入れてその中の排土をグローブでつかみ搬出することが容易なグローブのホールド装置に関するものである。
【背景技術】
【０００２】
電柱設置工事場所の地中には、ガス管、水道管、光ケーブル、電力線、電話線などの存在をあきらかにするために、電柱設置の予定地にあらかじめ本掘の前の確認調査のための試掘穴を掘るとかの方法で必ず事前の探査をすることが義務付けられている。
このような確認探査の目的のために、電柱設置工事場所に機械設備を搬入して掘られた試掘穴から排出を搬出する装置に関するものは例えば特許文献１〜６により公開されている。又特許文献７により公開された排土を搬出する掘削排出装置は、作業員が試掘穴から排土を搬出しながら直径４０ｃｍ、深さ１５０ｃｍの試掘穴を掘って、地中埋設物の種類、大きさ、形状を確認する作業を行っている。
【０００３】
地中埋設物を損傷させることなく電柱設置工事を行うためにさまざまな確認方法が行われているが、前記直径と深さの形状を有する試掘穴を手掘り又は圧縮空気、圧縮空気と高圧水を利用して掘削することが一般的である。例えば、加圧水で試掘掘削する（特許文献１）とか、土壌表面に向けて圧縮空気若しくは圧縮空気と高圧水の混合流体を噴射して土壌を破砕するとともに、該破砕された土壌を吸引ホースにより吸引移送して排土する（特許文献２）とか、探査掘削と排土を同時に行う探査掘削方法（特許文献３）とか、或いは特許文献７の試掘用掘削排出装置は、高圧エアーを噴射するノズルを設けた掘削部と、パイプの上部に設けたエアーシリンダーのピストンロッドに延長ロッドの上端部を接続して延長ロッドの先端部をバケットの開閉アームの間接部に接続して、コンプレッサーに接続して圧縮エアーをエアホースに通してこれに接続した排出装置のエアシリンダーのピストンを駆動する開閉バルブ操作によりバケットを開閉させて排土を搬出する装置が実用に供されている。
実用の試掘穴の掘削方法とか掘削排土装置は、高圧エアーを発生するコンプレッサーに接続した高圧エアーホースをシリンダーに接続するために大型な重量がある機械を搬入して高圧エアーホースを引き込んで電柱設置工事場所に試掘を行い、排土を試掘穴から搬出して確認するものである。
【０００４】
電柱設置工事場所において事故のない安全な工事を行うためには地下埋設物の探査をすることが不可欠である。そこで試掘探査を行って電線、水道配管、ガス配管等の地中埋設物の探査をあらかじめ行う必要がある。このような場所での地中埋設物の探査を行うために、コンプレッサーや高圧エアーホースが必要になるので、大型機械が搬入できなければ安全に試掘探査できないという欠点があった。
【０００５】
電柱設置工事用の場所の地中埋設物を探査のために試掘する用途において、この欠点は試掘作業する場所に制約されるため試掘探査に関して大きな障害である。具体的には、電柱設置工事場所が大きな機械が入る広い場所であったり、大型機械が入らない狭い場所であったり、さまざまの場所にコンプレッサーや高圧エアーホースなどの大型機械設備を搬入しなければならないために、電柱設置工事場所での試掘排土作業が容易にできるようにするためにはいろいろ解決しなければならない問題があった。
【０００６】
この改善策として、土壌に圧縮エアーを噴射して破砕する掘削、圧縮空気と水流の混合流体を噴射して土壌を破砕し掘削する方法、手作業で試掘穴を掘削したり、電磁波を利用して地中埋設物をあらかじめ探査した後に掘削する方法、破砕された排土の搬出には、吸引して吸引ホースからが部運搬車へ移送する方法などがある。
【先行技術文献】
【特許文献】
【０００７】
【特許文献１】特開２００４−３１６２３７号公報
【特許文献２】特開２００１−１３２３７２号公報
【特許文献３】特開平１１−２１７８１９号公報
【特許文献４】特開平９−２８８１８８号公報
【特許文献５】特開平５−３１１９６６号公報
【特許文献６】特開平５−１５６８８４号公報
【特許文献７】実用新案登録第３１４８３１７号公報
【考案の概要】
【考案が解決しようとする課題】
【０００８】
解決しようとする問題点は、深さ１５０ｃｍに達する試掘穴から手作業で排土を搬出する労力を効率的な作業にするために障害となる重力による作業能率低下を改善できない点である。
【課題を解決するための手段】
【０００９】
本考案は、パイプの上端部に取っ手を設け取っ手には回動自在にレバー中央を取り付けて、レバーの先端部には回動自在にロッドを取り付けて前記パイプの中にロッドを通し、パイプの先端部にアーム取り付け板を設け、前記ロッドの先端部にアーム軸中心を取り付けて、ロッドの上下移動によって伸縮する１対のアームを前記アーム取り付け板と前記アーム軸に取り付け、前記アームにはそれぞれにグローブを取り付けて、前記レバー操作によりロッドの上下移動に伴ってアーム軸が上下移動してグローブを開閉するように構成し、該パイプの上部取っ手に取り付けられた回動するレバー操作により、ロッドの下端部にアーム軸を取り付けて伸縮するアームと、該伸縮アームに取り付けたグローブを開閉して、前記グローブで排土をつかみ自重でグローブを閉じて排出することを最も主要な特徴とする。
【考案の効果】
【００１０】
本考案のグローブのホールド装置は、レバー操作を行って電柱設置工事場所の地中埋設物を探査する目的で試掘された試掘穴の排土をグローブでつかみ搬出するものである。パイプ上部の取っ手に回動自在に取り付けたレバーを操作してロッドを上下移動してロッド先端部を設けたアーム軸を上下して伸縮する一対のアームを設け、アームに取り付けたグローブで排土をつかみ自重でグローブを閉じることができる。この機能のため、レバー操作に応じて左右のグローブが開き、そして左右のグローブは閉じる際にも捩れることなく排土をつかんで自重で閉じて排土を搬出できるという利点がある。
更に、本考案は試掘穴の中から排土を外部へ搬出するために従来必要であった大型コンプレッサーを必要としなくなったから、本考案の装置はコンプレッサーから高圧エアーを送る必要がなくなり、高圧エアホースを接続したエアシリンダーやその開閉操作バルブをパイプの上端部に設ける必要もなく装置を軽量化されることになった。前記装置の伸縮アームに取り付けたグローブは自重で閉じることができるから、パイプ中間を握っても搬出をすることができるために作業効率がよくなった。
【図面の簡単な説明】
【００１１】
【図１】図１はグローブのホールド装置の実施方法を示した正面図である。（実施例１）
【図２】図２はグローブのホールド装置の実施方法を示した左側面図である。（実施例１）
【図３】図３はグローブのホールド装置の実施方法を示した右側面図である。（実施例１）
【図４】図４はグローブのホールド装置の実施方法を示した平面図である。（実施例１）
【図５】図５はグローブのホールド装置の実施方法を示した底面図である。（実施例１）
【図６】図６はグローブの伸縮アームの実施方法を示した拡大部分の正面図である。（実施例１）
【図７】図７は伸縮アームに取り付けたグローブの実施方法を示した拡大部分の底面図である。（実施例１）
【考案を実施するための形態】
【００１２】
パイプの上部に取っ手と、取っ手に回動するレバーと、レバーに回動するロッドと、ロッドをパイプに通して、ロッド先端部をアーム軸に取り付け、レバー操作で伸縮する１対のアームをアーム軸に取り付け、レバー操作して移動するロッドにより伸縮アームに取り付けたグローブを開き、グローブの中に掘削穴の排土をつかんで、グローブを閉じる際にもグローブは捩れることなく、グローブの中につかんだ排土をグローブの自重で落下させることなく搬出するという目的を、エアシリンダーを設けることなく実現した。
【実施例１】
【００１３】
図１〜７は、本考案装置の１実施例の実施方法を示す説明図であって、図１の１〜７及び６‘と７‘は、図２〜７と同様である。８，９，１０は、いずれも回動部、１１は、アーム軸、１２と１２’は、伸縮アーム、１３は、アーム取り付け板である。
【００１４】
実施例は、パイプ２の上端部に取っ手４を設け取っ手４には回動自在なレバー３を取り付けて、レバー３には回動自在にロッド５を取り付けて前記パイプ２の中にロッド５を通し、前記ロッドの先端回動部１０をアーム軸１１の中心に取り付け、アーム軸１１にロッド５の上下移動によって伸縮する１対のアーム６，６’、１２，１２’を取り付け、前記アームにはそれぞれにグローブ７，７’を取り付けて、前記レバー３操作によりロッド５の上下移動でグローブ７，７’を開閉するように構成し、該パイプ２の上部取っ手４に取り付けられ回動するレバー３を操作すると、ロッド５の上下移動により伸縮するアームと、該伸縮アームに取り付けたグローブ７，７’を開閉して、前記グローブで排土をつかみ自重でグローブ７，７’を閉じて搬出する。
【００１５】
実施例の回動部８，９，１０については、パイプ２の上端部に取っ手４を設け取っ手４には回動部８により回動自在なレバー３を取り付けて、レバー３には回動部９により回動自在にロッド５の上端部を取り付けて、前記パイプ２の中にロッド５を通し、パイプ２の先端部に取り付け板１３を設け、伸縮する１対のアーム６，６’、１２，１２’を前記取り付け板１３に回動部を設けて取り付け、これによってレバー３操作でロッド５の上下移動によってアーム軸１１が上下してアーム６，６’、１２，１２’は伸縮可能になる。
【００１６】
前記一対のアーム６，６’、１２，１２’には、回動部を設けてそこにアーム軸１１を設け、それぞれにグローブ７，７’を取り付けてグローブを閉じてもグローブは捩れないようにし、前記レバー３操作によりロッド５の上下移動でグローブ７，７’を開閉するように構成した。該パイプ２の上部取っ手４に取り付けられた回動するレバー３操作によりロッド５は上下に移動し、前記ロッド５の下端部をアーム軸１１の中心回動部１０に取り付けてある。前記アーム軸１１を中心にしてアームを交差させて取り付けてあるから、ロッド５に連動してアームを伸縮すると、該伸縮アームに取り付けたグローブ７，７’を開閉して、前記グローブで排土をつかみ自重でグローブ７，７’を閉じて排土を搬出する。
【００１７】
図１〜７に基づいてレバー操作について説明するとレバー３はその符合３により示した図面上の位置にあるときは回動部８でレバー先端部の回動部９がロッド５を押し下げて下方へ移動している。この状態では、ロッドと共にアーム軸１１も下がって、試掘穴の中でアーム６，６’、１２，１２’が伸びている場合グローブ７，７’も閉じている。この状態でレバー３を下げてそしてそれを上げれば、ロッド５が上方へ移動してアーム軸１１もそれに伴って上方へ移動するからアームを縮めて、従ってグローブは開いて、レバーを上げてグローブ７，７‘で排土をつかむと、後はグローブの中にこぼれないように自重で排土を保持することができる。
【００１８】
このような本考案の実施例は、エアコンプレッサーを用いないで操作レバーでロッドを上下移動してロッド先端部に取り付けたアーム軸を上下して、アームと共にグローブを開き、グローブを自重で閉じる形態を採用したので、手作業の作業効率を低下させることなく、本考案を実施した実施例の如く軽量なグローブのホールド装置を提供できる。従って、エアシリンダーや高圧エアーホースを取り付けないので排土装置が軽量になるので作業中に排土を搬出する労力を低減する効果がある。高齢化社会における作業者にとっては勿論、それが朗報となるものである。
【産業上の利用可能性】
【００１９】
パイプの上端部に設けた取っ手に取付けたレバーを操作してロッドを上下移動させ、ロッド先端部の伸縮アームと共にグローブを開閉して容易に左右のグローブで排土をつかむことができ、掘削穴にグローブを差し込むことによって、掘削穴の排土作業が必要であってかつ電柱設置工事の場所が狭いところであっても掘削穴の排土の搬出を行う用途に適用ができる。
【符号の説明】
【００２０】
１    ホールド装置全体
２    パイプ
３    レバー
４    取っ手
５    ロッド
６、６‘、１２、１２‘    伸縮アーム
７、７‘    グローブ
８、９、１０    回動部
１１    アーム軸
１３    アーム取り付け板
【図１】
0003155967.tif 000003
【図２】
0003155967.tif 000004
【図３】
0003155967.tif 000005
【図４】
0003155967.tif 000006
【図５】
0003155967.tif 000007
【図６】
0003155967.tif 000008
【図７】
0003155967.tif 000009